(57)【特許請求の範囲】
【請求項１】
柱状物の同一高さ位置で、該柱状物の外表面周方向に間隔を開けて配置され、該柱状物の外表面を上下方向に走行可能な２台以上の駆動車を含む複数の走行台車と、
隣り合う前記走行台車を連結し、伸縮力によって前記各走行台車を前記柱状物の外表面に押し付ける弾性部材とを有し、
前記弾性部材は、使用にあっては前記柱状物の外側に巻き回される伸縮バンドであって、該伸縮バンドの内側に前記複数の走行台車がそれぞれ配置され、しかも前記各走行台車と前記伸縮バンドとの接触面側に、相互に係合可能な面状ファスナーが設けられていることを特徴とする柱状物の昇降装置。
【請求項２】
請求項１記載の柱状物の昇降装置において、前記弾性部材は、前記柱状物の外表面との間に隙間を有して配置されることを特徴とする柱状物の昇降装置。
【請求項３】
請求項１又は２に記載の柱状物の昇降装置において、前記各走行台車は、前記柱状物の軸心を中心として、該柱状物の外表面周方向に実質的に等角度に配置されることを特徴とする柱状物の昇降装置。
【請求項４】
請求項１〜３のいずれか１項に記載の柱状物の昇降装置において、前記柱状物は椰子の木の幹であって、前記走行台車及び前記弾性部材のいずれか一方又は双方には、前記椰子の木を撮像する小型カメラと、前記椰子の木になる椰子の実を採る収穫手段が設けられていることを特徴とする柱状物の昇降装置。
【請求項５】
請求項１〜３のいずれか１項に記載の柱状物の昇降装置において、前記柱状物は立木の幹であって、前記走行台車及び前記弾性部材のいずれか一方又は双方には、前記立木を撮像する小型カメラと、前記立木の枝打ちを行う切断手段が設けられていることを特徴とする柱状物の昇降装置。
【発明の詳細な説明】
【技術分野】
【０００１】
本発明は、例えば、上方へ向かって徐々に縮幅したり、また様々な幅を備えた複数の柱状物（例えば、果樹の幹、立木の幹、又は電柱のような建造物）を昇降可能な柱状物の昇降装置に関する。
【背景技術】
【０００２】
従来、例えば、木になった実、例えば、椰子の実の収穫作業は、実を収穫できるように訓練した猿を使って行っている。
また、例えば、檜、ヒバ、杉、又は松のような立木の枝打ち作業は、作業者が木に昇り、なたを使用して行っている。なお、作業者は、その木の枝打ち作業が終了すればその木から降り、次の木に昇って同様の枝打ち作業を繰り返し行う。
このように、高所で作業を行う際には、手間と労力が非常にかかるため、例えば、特許文献１には、自走で昇降する昇降装置が提案され、また特許文献２には、作業者が自ら木に昇り降りするために使用する昇降装置が提案されている。
【０００３】
【特許文献１】特開２００１−１２００８４号公報
【特許文献２】特開２００１−５４３２６号公報
【発明の開示】
【発明が解決しようとする課題】
【０００４】
しかしながら、特許文献１に記載された昇降装置は、木の径の変化に十分に対応できる構成となっていないため、例えば、上方へ向かって徐々に縮径したり、また様々な径を備えた複数の木に、同じ昇降装置を使用できない場合がある。なお、この昇降装置は、曲がった木を昇降することもできない。
また、特許文献２に記載された昇降装置は、作業者が自ら昇り降りしなければならず、高所で作業する必要があり危険を伴う恐れがある。
更に、いずれの昇降装置においても、大型でしかも構造が複雑であるため、持ち運びが不便で製造コストもかかる。
【０００５】
本発明はかかる事情に鑑みてなされたもので、径が変化する木又は径の異なる複数の木にも対応でき、作業者が自ら高所での作業を行う必要がなく、しかも装置構成が簡単で持ち運びも便利な柱状物の昇降装置を提供することを目的とする。
【課題を解決するための手段】
【０００６】
前記目的に沿う本発明に係る柱状物の昇降装置は、柱状物の同一高さ位置で、該柱状物の外表面周方向に間隔を開けて配置され、該柱状物の外表面を上下方向に走行可能な２台以上の駆動車を含む複数の走行台車と、
隣り合う前記走行台車を連結し、伸縮力によって前記各走行台車を前記柱状物の外表面に押し付ける弾性部材とを有し、
前記弾性部材は、使用にあっては前記柱状物の外側に巻き回される伸縮バンドであって、該伸縮バンドの内側に前記複数の走行台車がそれぞれ配置され、しかも前記各走行台車と前記伸縮バンドとの接触面側に、相互に係合可能な面状ファスナーが設けられている。
【０００７】
本発明に係る柱状物の昇降装置において、前記弾性部材は、前記柱状物の外表面との間に隙間を有して配置されることが好ましい。
本発明に係る柱状物の昇降装置において、前記各走行台車は、前記柱状物の軸心を中心として、該柱状物の外表面周方向に実質的に等角度に配置されることが好ましい。
【０００８】
本発明に係る柱状物の昇降装置において、前記柱状物は椰子の木の幹であって、前記走行台車及び前記弾性部材のいずれか一方又は双方には、前記椰子の木を撮像する小型カメラと、前記椰子の木になる椰子の実を採る収穫手段が設けられていることが好ましい。
本発明に係る柱状物の昇降装置において、前記柱状物は立木の幹であって、前記走行台車及び前記弾性部材のいずれか一方又は双方には、前記立木を撮像する小型カメラと、前記立木の枝打ちを行う切断手段が設けられていることが好ましい。
【発明の効果】
【０００９】
請求項１〜５記載の柱状物の昇降装置は、柱状物の外表面周方向に間隔を開けて配置される複数の走行台車が弾性部材で連結されているので、弾性部材の伸縮力により、柱状物の幅（外周長さ）に応じて隣り合う走行台車の間隔を自動的に調整できる。これにより、例えば、上方へ向かって徐々に縮幅したり、また様々な幅を備えた複数の柱状物に対しても、昇降装置が確実に昇降できる。
このように、柱状物の昇降装置を使用することで、例えば、人が登れない危険な高い木又は高い建造物も昇降でき、しかも装置構成が簡単で持ち運びも便利であるため、今後色々な分野での利用が期待でき、その経済的効果は非常に大きい。
そして、各走行台車が面状ファスナーによって伸縮バンドに取付け取外し可能な構成となっているので、昇降装置の組み立て作業が簡単である。また、使用によって伸縮バンドが劣化した際にも、伸縮バンドを交換するのみで昇降装置を使用できるため、経済的である。
【００１０】
特に、請求項２記載の柱状物の昇降装置は、弾性部材が柱状物の外表面との間に隙間を有して配置されるので、弾性部材が柱状物と接触することを防止でき、走行台車の昇降動作をスムーズにできる。
請求項３記載の柱状物の昇降装置は、各走行台車を柱状物の軸心を中心として実質的に等角度に配置するので、隣り合う走行台車を連結する伸縮部材の伸縮力が略均等になり、各走行台車が柱状物の外表面に押し付けられる力も略同等になる。従って、柱状物に対する各走行台車の滑りを抑制、更には防止できる。
【００１１】
請求項４記載の柱状物の昇降装置は、椰子の実を採る際に、従来のように、猿を使う必要がなくなるので、猿を訓練する必要がなくなり、椰子の実の収穫作業を簡単にできる。これにより、収穫作業の効率が上がり、収穫時間の短縮を図ることができる。
また、小型カメラにより、椰子の実を撮像しながら採ることで、出荷に適した状態まで成熟した椰子の実の収穫率を向上できる。
請求項５記載の柱状物の昇降装置は、小型カメラにより立木の枝を撮像しながら、切断手段により枝打ち作業を行うことにより、従来きこりが行っていた作業レベルと同程度の作業を、安全かつ容易に実施できる。
【発明を実施するための最良の形態】
【００１２】
続いて、添付した図面を参照しつつ、本発明を具体化した実施の形態につき説明し、本発明の理解に供する。
ここで、図１は本発明の一実施の形態に係る柱状物の昇降装置の使用状態の平面図、図２（Ａ）、（Ｂ）はそれぞれ同柱状物の昇降装置の駆動車の裏面図、従動車の裏面図、図３は同柱状物の昇降装置の制御機構を示す説明図である。
【００１３】
図１〜図３に示すように、本発明の一実施の形態に係る柱状物の昇降装置（以下、単に昇降装置ともいう）１０は、椰子の木の幹（柱状物の一例）１１の同一高さ位置で、幹１１の外表面１２周方向に間隔を開けて配置され、幹１１の外表面１２を上下方向に走行可能な複数の走行台車の一例である２台の駆動車１３、１４及び２台の従動車１５、１６と、隣り合う走行台車、即ち、駆動車１３、従動車１５、駆動車１４及び従動車１６をそれぞれ連結し、伸縮力によって各駆動車１３、１４及び従動車１５、１６を幹１１の外表面１２に押し付ける伸縮バンド（弾性部材の一例）１７とを有する。以下、詳しく説明する。
【００１４】
図１に示すように、駆動車１３、従動車１５、駆動車１４及び従動車１６は、幹１１の軸心を中心として、幹１１の外表面１２周方向に実質的に等角度（ここでは、駆動車が２台、従動車が２台の合計４台であるため９０度）に配置される。ここで、各駆動車１３、１４と各従動車１５、１６は、それぞれ幹１１を中心として幹１１の周方向に交互に配置されている。
なお、各駆動車と各従動車は、それぞれ幹１１の軸心を中心として対向する位置に配置することが好ましいが、対向しない位置に配置してもよい。
【００１５】
駆動車１３、１４は、図１、図２（Ａ）に示すように、車体１８の前後方向両端部に、駆動側回転軸１９と従動側回転軸２０が、それぞれ回転自在に取付けられている。
駆動側回転軸１９の中央部には、直流モータ２１からの出力が伝達されるギア（減速機構）２２が設けられ、このギア２２の両側に位置する駆動側回転軸１９に、幹１１の外表面１２に接触する２個の駆動側ローラ２３が取付けられている。これにより、直流モータ２１の出力で駆動側ローラ２３を回転できる。なお、軽量化のため、ギア２２はプラスチック製であることが好ましい。また、駆動側ローラの個数は２個としたが、３個以上の複数個とすることも、また１個としてもよい。ここで、駆動側ローラの個数を１個とする場合は、駆動側ローラの片側又は両側に、直流モータからの出力が伝達されるギアを設け、駆動側ローラを回転させるとよい。
【００１６】
また、従動側回転軸２０の中央部には、幹１１の外表面１２に接触する幅広の１個の従動側ローラ２４が取付けられている。なお、従動側ローラの個数は１個としたが、２個以上の複数個にしてもよい。
各ローラ２３、２４は、少なくともその表層部がゴム製又はプラスチック製となっており、しかもその表面には、各ローラ２３、２４の幅方向又は斜め方向に溝が形成されて滑り止め加工がなされている。なお、各ローラの表面に、例えば断面円形又は断面角形の多数の滑り止め突起を設けることで、各ローラの滑り止め効果を更に高めることもできる。また、幹１１の外表面１２に対する各ローラの接触面積を高めるため、例えば、各ローラの材質をクッション性を備える材質（例えば、ウレタン樹脂）で構成することもできる。
【００１７】
２個の駆動側ローラ２３、及び従動側ローラ２４の両外側に位置する各回転軸１９、２０には、プーリ２５、２６がそれぞれ取付けられている。また、プーリ２５とプーリ２６の中間位置には、サスペンション（例えば、ばね）が設けられたプーリ２６ａが配置されている。このプーリの個数は、更に増やすこともできる。なお、プーリ２５とプーリ２６についても、それぞれサスペンション（例えば、ばね）を設けてよい。
駆動側回転軸１９に取付けられた各プーリ２５、従動側回転軸２０に取付けられた各プーリ２６、及びその中間位置に配置された各プーリ２６ａは、無端のベルト２７でそれぞれ接続されている。これにより、直流モータ２１の出力が、駆動側回転軸１９及びベルト２７を介して従動側回転軸２０へ伝達され、従動側ローラ２４を回転できる。ここで、ベルト２７の緩みは、プーリ２６ａに設けられたサスペンションで調整できる。
なお、プーリの代わりにスプロケットを使用し、ベルトの代わりにチェーンを使用することもできる。
【００１８】
従動車１５、１６は、図１、図２（Ｂ）に示すように、車体２８の前後方向両端部に、回転軸２９がそれぞれ回転自在に取付けられている。この各回転軸２９の両側には、幹１１の外表面１２に接触するローラ３０（車輪でもよい）が１個ずつ、合計４個取付けられている。なお、各ローラ３０の材質等については、前記した駆動車のローラ２３、２４と実質的に同一である。
このように、従動車１５、１６は、前記した駆動車１３、１４のように直流モータが搭載されておらず、自力で走行する構成とはなっていない。
【００１９】
図１、図３に示すように、伸縮バンド１７は、使用にあっては幹１１の外側に巻き回され、伸縮バンド１７の内側に各駆動車１３、１４及び各従動車１５、１６がそれぞれ配置されるものである。
この伸縮バンド１７は、帯状となっており、ゴムで構成される伸縮領域３１と柔らかい材料（例えば布）で構成される取付領域３２が、４カ所ずつ交互に配置されている。この取付領域３２と各車体１８、２８の接触面側には、相互に係合可能な面状ファスナー３３が設けられている。なお、伸縮バンド１７の両端部３４、３５についても、相互に係合可能な面状ファスナー３６が取付けられている。ここで、それぞれ使用した面状ファスナーの代わりに他の取付部材、例えばスナップ（凹凸が一対となった押しホック）を使用してもよい。
なお、伸縮領域３１と取付領域３２は、使用する駆動車及び従動車の台数に応じて、複数箇所に変更可能である。
また、伸縮バンドは、帯状となった１枚のバンドで構成してもよいが、伸縮領域及び取付領域が設けられた複数枚のバンド及びゴムバンドで構成することが好ましい。例えば、駆動車及び従動車の前後方向両側に、伸縮領域及び取付領域が設けられたバンドをそれぞれ配置し、この２本のバンドの中間位置に、各バンドよりも大きな伸縮性を備えたゴムバンドを配置する。これにより、ゴムバンドによって駆動車及び従動車を幹の外表面に更に強く押し付け、幹に対する駆動車及び従動車の各ローラの滑りを抑制、更には防止できる。
【００２０】
この伸縮バンド１７の伸縮領域３１のゴムの役割は、昇降装置１０が径の大きな幹１１の下部と径の小さな幹１１の上部との間を移動する際に、環状となった伸縮バンド１７の内幅を幹１１の径に応じて自動的にフレキシブルに変え、昇降を容易にすることにある。
なお、図１に示すように、昇降装置１０を幹１１の外表面１２周囲に配置するに際しては、伸縮バンド１７が幹１１の外表面１２に接触しないように、幹１１の外表面１２から外側に隙間を有して配置する。
ここで、伸縮バンド１７が幹１１の外表面１２に接触しないように配置する方法としては、幹１１の径に応じて、駆動車及び従動車のいずれか一方又は双方の台数を増やしたり、また、伸縮バンド１７の幹に接触する部位にローラを設ける方法がある。
【００２１】
図３に示すように、伸縮バンド１７には、椰子の木を撮像するためのＣＣＤカメラ（小型カメラの一例）３７と、椰子の木になる椰子の実を採るための圧縮空気吹付器（収穫手段の一例）３８が設けられている。このＣＣＤカメラ３７と圧縮空気吹付器３８は、伸縮バンド１７の外側表面に、図示しない取付部材（例えば、相互に係合可能な面状ファスナー又はスナップ）を介して取付けることができる。なお、ＣＣＤカメラ３７と圧縮空気吹付器３８は、各駆動車、各従動車、及び伸縮バンドのいずれか１又は２以上に取付けることができる。
このＣＣＤカメラ３７は、例えば、軽量となった画像送信機内蔵型のカメラであり、このＣＣＤカメラ３７で撮像された画像が、カメラ画像受信機３９へ送信され、昇降装置１０の使用者が画像を確認できる。
【００２２】
また、圧縮空気吹付器３８は、例えば、軽量となったチューブ型のものであり、この圧縮空気吹付器３８が、圧縮空気チューブ４０及び圧縮空気制御器４１を介して、エアーコンプレッサー４２に接続されている。なお、収穫手段として、圧縮空気吹付器の代わりにむちを使用することもでき、この場合、駆動車の進行方向前方に、回転軸が幹１１と平行になるように電動モータを配置し、この回転軸にむちの一端部を接続して回転させる。
この圧縮空気制御器４１及びエアーコンプレッサー４２は、電源４３（例えば、１００Ｗ）に接続されて動作可能になっている。
これにより、エアーコンプレッサー４２から送られる空気は、圧縮空気制御器４１によりその噴出圧力及び噴出量が調整され、圧縮空気チューブ４０を介して圧縮空気吹付器３８へ送られる。
【００２３】
なお、ＣＣＤカメラ３７と圧縮空気吹付器３８は、それぞれ１台又は複数台取付けることができ、１台取付ける場合は、旋回機構及び角度調整機構を設け、また複数台取付ける場合は、撮像対象又は吹き付け可能な領域をカバーできるように、その位置を調整し固定することが好ましい。
また、電源４３には、ドライバー及びマイコンボード等を内蔵した操作ボックス４４が接続されている。この操作ボックス４４内に配置されたマイコンボードで、各駆動車１３、１４を自動的に昇降させるための制御信号を作り、その信号を操作ボックス４４内のドライバーへ送り、電源ケーブル４５を経由して駆動車１３、１４の直流モータ２１の速度を変えることで、昇降装置１０が自動的に幹１１を昇降できる。
【００２４】
続いて、本発明の一実施の形態に係る柱状物の昇降装置１０を使用して、椰子の木から椰子の実（図示しない）を採る方法について説明する。なお、椰子の木の幹１１は、上方へ向かって徐々に縮径している。
図１に示すように、伸縮バンド１７に各駆動車１３、１４及び各従動車１５、１６を取付け、そのローラ２３、２４、３０を幹１１の外表面１２に接触させながら、伸縮バンド１７を幹１１の外側に巻き回し、その両端部３４、３５を面状ファスナー３６を介して接続する。このとき、各駆動車１３、１４及び各従動車１５、１６が、幹１１の軸心を中心として、幹１１の外表面１２周方向に実質的に等角度になるように配置する。また、図１では、駆動車１３、１４の従動側ローラ２４を、下側進行方向へ向けて配置、即ち、進行方向（上方向）に対して逆側（下側）に配置しているが、逆でもよい。
これにより、昇降装置１０を、椰子の木の根元部分に配置できる。
【００２５】
そして、伸縮バンド１７の外側に、複数のＣＣＤカメラ３７と複数の圧縮空気吹付器３８を取付ける。なお、圧縮空気吹付器３８に圧縮空気チューブ４０の一端部を接続し、その他端部を圧縮空気制御器４１に接続し、更に圧縮空気制御器４１をエアーコンプレッサー４２に接続する。
また、各駆動車１３、１４に電源ケーブル４５の一端部を接続し、その他端部を操作ボックス４４に接続する。
そして、圧縮空気制御器４１、エアーコンプレッサー４２、及び操作ボックス４４を、電源４３に接続する。
【００２６】
次に、電源４３をオンにし、圧縮空気制御器４１、エアコンプレッサー４２、及び操作ボックス４４に電力を供給する。そして、操作ボックス４４のスイッチをオンにし、電源ケーブル４５から供給された電力により、各駆動車１３、１４の駆動側ローラ２３を正回転させる。
これにより、幹１１の太さに合わせて伸縮バンド１７を縮ませながら、昇降装置１０は上へ登っていく。そして、昇降装置１０を椰子の木の幹１１の上部まで上昇させた後、椰子の葉の生えている部分の手前で止める。
【００２７】
昇降装置１０に取付けられたＣＣＤカメラ３７で椰子の実を撮像し、その画像をＣＣＤカメラ３７に内蔵された送信機からカメラ画像受信機３９へ送信する。作業者は、この画像を確認することで、椰子の実の成熟状態（３種類：緑の若い実、黄色の実、及び茶色の実）を確認し、収穫する実を選択する。
そして、複数の圧縮空気吹付器３８のうち、選択した椰子の実の付け根部分に圧縮空気を吹き付け可能な圧縮空気吹付器３８を選択し、圧縮空気制御器４１を作動させる。これにより、圧縮空気チューブ４０を介して供給された圧縮空気を、圧縮空気吹付器３８の空気吹出し口から実の付け根部分へ吹き付け、これを切断して椰子の実を落とすことができる。なお、むちを使用する場合は、電動モータを作動させてむちを振り回し、選択した椰子の実にむちを複数回たたきつけることで落とす。
【００２８】
椰子の実を落とした後、操作ボックス４４により、各駆動車１３、１４の駆動側ローラ２３を逆回転させ、昇降装置１０を椰子の木の根元まで降ろして停止させる。そして、伸縮バンド１７からＣＣＤカメラ３７と圧縮空気吹付器３８を取り外し、次に伸縮バンド１７の両端部３４、３５の面状ファスナー３６を取り外して、幹１１から昇降装置１０を取り、椰子の実落としの作業を終える。
このように、昇降装置１０を使用することにより、従来不可能であった椰子の実等を機械で収穫することが可能になる。特に、椰子の実の色を画像により人の目で見分けるため、その成熟状態を判別しながら落とすことが可能になり、より効果的で効率的に、高所になっている木の実を落とすことができる。
【００２９】
なお、昇降装置は、色々な形状の柱状物を、容易に昇降できる特殊な機構を備えるため、他の分野にも用途は広く、商品価値は非常に大きい。
例えば、収穫手段の代わりに、電動のこぎりのような切断手段を、駆動車、従動車、及び伸縮バンドのいずれか１又は２以上に設けることもできる。この場合は、檜、ヒバ、杉、又は松のような立木の幹（柱状物の一例）に沿って昇降装置を上昇させることで、幹から枝分かれした小枝をＣＣＤカメラで撮像しながら、電動のこぎりで枝打ち作業を行うこともできる。
【００３０】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の柱状物の昇降装置を構成する場合も本発明の権利範囲に含まれる。
また、前記実施の形態においては、昇降装置を昇降させる対象として、柱状物の一例である椰子の木の幹を使用した場合について説明したが、柱状物としては、例えば、果樹の幹、立木の幹、又は電柱のような建造物であってもよい。なお、柱状物の断面形状は、昇降装置の昇降に支障がなければ、例えば、円形、楕円形、卵形、又は角形でもよい。
【００３１】
そして、前記実施の形態においては、走行台車及び弾性部材のいずれか１又は２以上に、ＣＣＤカメラと圧縮空気吹付器を設けた場合について説明したが、これに限定されるものではなく、昇降装置の使用用途に応じて他の手段、例えば、照明手段、研磨手段、消火手段、塗装手段、又は燃焼手段を取付けることも、またセンサを取付けることもできる。
【００３２】
更に、前記実施の形態においては、複数の走行台車を２台の駆動車と２台の従動車で構成した場合について説明したが、例えば、柱状物の幅（外周長さ）又は断面形状に応じて、各台数をそれぞれ増減させることもできる。なお、走行台車を２台とする場合には、走行台車は２台の駆動車で構成され、走行台車を３台以上にする場合は、２台又はそれ以上の駆動車を使用する。ここで、駆動車は柱状物の軸心を中心として実質的に等角度に配置するとよく、更に従動車を使用する場合は、隣り合う駆動車の間に従動車を配置するとよい。
【図面の簡単な説明】
【００３３】
【図１】本発明の一実施の形態に係る柱状物の昇降装置の使用状態の平面図である。
【図２】（Ａ）、（Ｂ）はそれぞれ同柱状物の昇降装置の駆動車の裏面図、従動車の裏面図である。
【図３】同柱状物の昇降装置の制御機構を示す説明図である。
【符号の説明】
【００３４】
１０：柱状物の昇降装置、１１：幹（柱状物）、１２：外表面、１３、１４：駆動車（走行台車）、１５、１６：従動車（走行台車）、１７：伸縮バンド（弾性部材）、１８：車体、１９、２０：回転軸、２１：直流モータ、２２：ギア、２３、２４：ローラ、２５、２６、２６ａ：プーリ、２７：ベルト、２８：車体、２９：回転軸、３０：ローラ、３１：伸縮領域、３２：取付領域、３３：面状ファスナー、３４、３５：端部、３６：面状ファスナー、３７：ＣＣＤカメラ（小型カメラ）、３８：圧縮空気吹付器（収穫手段）、３９：カメラ画像受信機、４０：圧縮空気チューブ、４１：圧縮空気制御器、４２：エアーコンプレッサー、４３：電源、４４：操作ボックス、４５：電源ケーブル
【図１】
0004496161.tif 000002
【図２】
0004496161.tif 000003
【図３】
0004496161.tif 000004